(57)【特許請求の範囲】
【請求項１】
頂点部と側面部とを有する波形放熱体に絵柄を形成する電気機器の絵柄形成方法において、
絵柄が表示されると共に、接着層を有するシートを上記波形放熱体の上記頂点部に押圧手段により押圧して上記シートの接着層を貼る第１のステップを実行した後、
貼られた上記シートを、上記波形放熱体の隣接する上記頂点部間にて切断手段により切断して複数のシート片を形成する第２のステップを実行した後、
上記シート片の接着層を、上記波形放熱体の上記側面部に沿って上記押圧手段により上記シート片を押圧して貼る第３のステップを実行する、
ことを特徴とする電気機器の絵柄形成方法。
【請求項２】
電気機器の波形放熱体に絵柄を形成する電気機器の絵柄形成方法において、
絵柄が表示されると共に、接着可能な転写層を有するシートを上記波形放熱体の上記頂点部に押圧手段により押圧して上記シートの転写層を貼る第１のステップを実行した後、
貼られた上記シートを、上記波形放熱体の隣接する上記頂点部間にて切断手段により切断して複数のシート片を形成する第２のステップを実行した後、
上記シート片の転写層を、上記波形放熱体の上記側面部に沿って押圧手段により押圧して接着する第３のステップを実行した後、
上記シート片の端を把持手段により引っ張って上記波形放熱体から取り外す、ことを特徴とする電気機器の絵柄形成方法。
【請求項３】
上記第２ステップにおける上記頂点部間にて切断する位置は、  上記頂点部間の中央部である、
ことを特徴とする請求項１又は２に記載の電気機器の絵柄形成方法。
【発明の詳細な説明】
【０００１】
【発明の属する技術分野】
この発明は、波形放熱体を有する電気機器において、該放熱体に絵柄を形成する方法の発明に関するものである。
【０００２】
【従来の技術】
近年、省エネルギー機器であることを示すために電気機器タンク表面には、所謂エコマークなどの絵柄が表示されることがある。
かかる絵柄を所定の間隔を有して設けられた複数の部材に表示する手段として特開平７−７７１９４号公報に記載されたものがある。
該公報によれば、第１の絵柄形成手段として、絵柄が形成されると共に、凹設された版面を有するシリコンゴムを用い、上記版面にインクを塗布し、プレスによりガードの放射状の線材に押圧して絵柄を塗着するものがある。
また、第２の絵柄形成手段として、絵柄が切り抜かれたマスクを放射状の線材上に載置し、上方よりスプレーにてインクを塗布して絵柄を形成するものがある。
さらに、第３の絵柄形成手段として、インクが塗布されたシルク版を載置し、該シルク版をスキージにて押圧して放射状の線材に絵柄を形成するものがある。
【０００３】
【発明が解決しようとする課題】
しかしながら、上記のような絵柄形成手段はいずれも、対象が線材に絵柄を形成しているので、電気機器の波形放熱体には適さない。
すなわち、第１の絵柄形成手段によれば、絵柄又は線材に応じて凹状の版面を有するシリコンゴムを予め多数設計、製造することが煩雑であり、作業者がシリコンゴムの版面にインクを塗布し、プレスして絵柄を形成するという作業が煩雑であるという問題点があった。
【０００４】
また、第２の絵柄形成手段によれば、絵柄又は線材に応じてマスクを予め多数設計、製造することが煩雑であり、スプレーにてインクを塗布している間、マスクを一定の位置に固定しながら、所定の絵柄を形成するには熟練を要するという問題点があった。
【０００５】
さらに、第３の絵柄形成手段によれば、シルク版をスキージにて押圧して放射状の線材に絵柄を形成するには、シルク版を一定の位置に固定しなければならず作業が煩雑であるという問題点があった。
【０００６】
この発明は、上記課題を解決するためになされたもので、電気機器の波形放熱体に簡易に絵柄を形成できる電気機器の絵柄形成方法を提供するものである。
【０００７】
【課題を解決するための手段】
第１の発明に係る電気機器の絵柄形成方法は、頂点部と側面部とを有する波形放熱体に絵柄を形成する電気機器の絵柄形成方法において、絵柄が表示されると共に、接着層を有するシートを上記波形放熱体の上記頂点部に押圧手段により押圧して上記シートの接着層を貼る第１のステップを実行した後、貼られた上記シートを、上記波形放熱体の隣接する上記頂点部間にて切断手段により切断して複数のシート片を形成する第２のステップを実行した後、上記シート片の接着層を、上記波形放熱体の上記側面部に沿って上記押圧手段により上記シート片を押圧して貼る第３のステップを実行する、ことを特徴とするものである。
【０００８】
第２の発明に係る電気機器の絵柄形成方法は、電気機器の波形放熱体に絵柄を形成する電気機器の絵柄形成方法において、絵柄が表示されると共に、接着可能な転写層を有するシートを上記波形放熱体の上記頂点部に押圧手段により押圧して上記シートの転写層を貼る第１のステップを実行した後、貼られた上記シートを、上記波形放熱体の隣接する上記頂点部間にて切断手段により切断して複数のシート片を形成する第２のステップを実行した後、上記シート片の転写層を、上記波形放熱体の上記側面部に沿って押圧手段により押圧して接着する第３のステップを実行した後、上記シート片の端を把持手段により引っ張って上記波形放熱体から取り外す、ことを特徴とするものである。
【０００９】
第３の発明に係る電気機器の絵柄形成方法における、第２ステップにおける頂点部間にて切断する位置は、上記頂点部間の中央部である、ことを特徴とするものである。
【００１０】
【発明の実施の形態】
実施の形態１．
この発明の一実施の形態を図１及び図２によって説明する。図１はこの発明の一実施の形態を示す変圧器の波形放熱体に絵柄を施した正面図。図２は図１に示す変圧器の斜視図である。
図１及び図２おいて、電気機器としての変圧器１は、頂点部２ａと側面部２ｂとを有する波形放熱体２を有しており、木の葉のマーク５ａが表示された複数のシート片５が頂点部２ａと二つの側面部２ｂとに接着されている。
ここで、シート片５を頂点部２ａのみではなく、二つの側面部２ｂにも貼るのは、斜め方向からでも木の葉マーク５ａが連続して視認できるようにするためである。
なお、シート片５はマーク５ａのみが、有彩色でマーク５ａ以外は無彩色の透明となっている。
【００１１】
上記のように構成された電気機器の絵柄の形成方法を図１乃至図４によって説明する。図３は木の葉マークを示すシートの正面図、図４は変圧器の波形放熱体に絵柄を施す工程を示す変圧器の平面図である。
まず、予め図３に示すように絵柄としての木の葉マーク３ａが施されると共に、裏面に接着剤が塗布された接着層を有するポリエステルから成るシート３を作成する。
図４（ａ）に示すように作業者が手（押圧手段）によってシート３を変圧器１の波形放熱体２の頂点部２ａに押圧することにより貼る第１のステップを実行し、隣接する波形放熱体２の頂点部２ａ間における中央の位置、すなわち、Ａ−Ｂ線にあるシート３を切断手段としてのナイフ（図示せず）により切断して複数のシート片５を形成する第２のステップを実行する。
【００１２】
作業者が手（押圧手段）によって該シート片５の各端を波形放熱体２の頂点部２ａに対して二つの側面部２ｂに沿って折り込み、シート片５の接着層を貼り付ける第３のステップを実行することにより図４（ｂ）に示すようなＵ形状になる。前記のような絵柄形成方法によれば、隣接する波形放熱体２毎に切断する位置は、隣接する波形放熱体２毎の中央としたので、マーク５ａの視認性が向上する。
さらに、マーク３ａが表示されたシート３を予め準備しておいて、変圧器１の波形放熱体２に貼り付けるのみであるので、製作工程の短縮とマーク３ａを波形放熱体２に正確に表示することができる。
【００１３】
また、前記実施の形態によれば、接着可能な転写層を有するシート３を予め準備しておいて、前記第１から第３のステップを実行して複数のシート片５の転写層を、波形放熱体２の側面部２ｂに沿って手（押圧手段）により押圧して接着した後、作業者が手によりシート片５の端をつかみ（把持手段）波形変圧器２から外すようにしても良い。
さらに、前記シート３の切断する位置（Ａ−Ｂ線相当）に予めミシン目を形成しておいて、該ミシン目を切断しても良い。ミシン目を有することにより切断作業が簡易となる。
なお、前記実施の形態では、第１及び第３のステップの押圧手段、第２のステップの切断手段、転写層を有するシート片５の端を把持手段をすべて作業者の手により実行するようにしたが、押圧手段，切断手断，把持手段と同様な機能を有するロボットなどによって実行しても良いのは勿論である。
【００１４】
【発明の効果】
第１の発明によれば、絵柄が表示されると共に、接着層を有するシートを波形放熱体の頂点部に押圧手段に押圧してシートを貼った後、貼られたシートを、波形放熱体の隣接する頂点部間にて切断手段により切断して複数のシート片を形成した後、シート片の接着層を、波形放熱体の側面部に沿って押圧手段によりシート片を押圧して貼ったので、電気機器の波形放熱体に簡易に絵柄を形成できるという効果がある。
【００１５】
第２の発明によれば、絵柄が表示されると共に、接着可能な転写層を有するシートを波形放熱体の頂点部に押圧手段により押圧して貼った後、貼られたシートを、波形放熱体の隣接する頂点部間にて切断手段により切断して複数のシート片を形成した後、シート片の転写層を波形放熱体の側面部に沿って押圧手段により押圧して接着した後、シート片の端を把持手段により引っ張って波形放熱体から取り外したので、電気機器の波形放熱体に簡易に絵柄を形成できるという効果がある。
【００１６】
第３の発明によれば、第１又は第２の発明の効果に加え、頂点部間にて切断する位置は、頂点部間の中央部としたので、シートに表示された絵柄の視認性が向上するという効果がある。
【図面の簡単な説明】
【図１】図１はこの発明の一実施の形態を示す変圧器の波形放熱体に絵柄を施した正面図である。
【図２】図２は図１に示す斜視図である。
【図３】図１の変圧器に施された木の葉マークを示すシートの正面図である。
【図４】図１に示す変圧器の波形放熱体に絵柄を施す工程を示す電気機器の平面図である。
【符号の説明】
１  変圧器（電気機器）、２  波形放熱体、２ａ  頂点部、２ｂ  側面部、３シート、３ａ  木の葉マーク、５  シート片、５ａ  シート片のマーク。
【図１】
0003558006.tif 000002
【図２】
0003558006.tif 000003
【図３】
0003558006.tif 000004
【図４】
0003558006.tif 000005